(57)【要約】  【課題】  使用者の体型などに合わせて肩ベルトの長さを任意に調節することが出来ると共に、使用中に肩ベルトが分断されるような虞れの無い、使い勝手と安全性の双方を向上し得る新規な対面保持型ベビーキャリーを提供する。  【解決手段】  補助ベルト６を長さ調節具１１で短くすると、その分だけ主ベルト５も縮まるので、主ベルト５を定尺なシートや布地製としながらその長さを調節自在として、シート状保持部１を、使用者ｂの体型や使い勝手などに合わせて適宜高さに位置させることができる。  【選択図】  図１
0003121415.tif 000002
【実用新案登録請求の範囲】
【請求項１】
少なくとも乳幼児の臀部を支承可能なシート状保持部と、両端を前記シート状保持部の上端側左右に固定して使用者の一方の肩にたすき状に掛ける肩ベルトと、前記シート状保持部の下端側に取り付けて使用者の腰周りに掛け渡される腰ベルトと、を備えた対面保持型のベビーキャリーであって、
前記肩ベルトを、非伸縮性で且つ柔軟性を備えた定尺の主ベルトと、該主ベルトに添設した長さ調節自在な補助ベルトで構成し、
前記補助ベルトは長さ方向両端部が前記主ベルトに固定され、該補助ベルトの長さ調節に伴い前記主ベルトの長さが調節されることを特徴とするベビーキャリー。
【請求項２】
前記補助ベルトの長さ調節を自在とする長さ調節具が、前記主ベルトにおける使用者に当たる面と反対側の面に配置されていることを特徴とする請求項１記載のベビーキャリー。
【請求項３】
前記主ベルトの長さ方向両端部位に前記補助ベルトをそれぞれ添設したことを特徴とする請求項１または２記載のベビーキャリー。
【請求項４】
前記主ベルトの長さ方向中央部位に、使用者の肩を覆う幅に拡張自在な肩当部を形成すると共に、該肩当部が、使用者の肩先に当たる中央の緩衝パッドと、該中央の緩衝パッドの左右両側に配置した左右の緩衝パッドを備え、これら左右の緩衝パッドが使用者の肩先の左右両側に当たるよう形成したことを特徴とする請求項３記載のベビーキャリー。
【請求項５】
前記シート状保持部が、乳幼児の臀部、腰部及び背部を支承可能な逆台形状に形成されており、該シート状保持部の上端側に前記肩ベルトを、下端側に前記腰ベルトを、中間部分に安全ベルトを、それぞれ取り付けてあり、前記安全ベルトで前記シート状保持部に乳幼児をくくり付けるよう形成したことを特徴とする請求項１〜４の何れか１項記載のベビーキャリー。
【考案の詳細な説明】
【技術分野】
【０００１】
本考案は、使用者と対面状に乳幼児を保持する対面保持型ベビーキャリーの改良に関し、詳しくは、使用者の使い勝手と、乳幼児保持の安全性との双方を同時に向上し得る新規な対面保持型ベビーキャリーに関する。
【背景技術】
【０００２】
従来から、例えば特許文献１、２などに開示されるような、使用者の一方の肩から反対側の腰部にわたりたすき状に掛ける肩ベルト部分と、少なくとも乳幼児の臀部を支承可能なよう前記肩ベルト部分の左右両端にわたって連設されるシート部分を備えた対面保持型のベビーキャリーが知られている。
【０００３】
【特許文献１】実用新案登録第３０８３２３１号公報
【特許文献２】特開２００１−７８８５７号公報
【考案の開示】
【考案が解決しようとする課題】
【０００４】
上記した従来のベビーキャリーは、シート部分に乳幼児が腰掛ける形態で乗せておくだけの旧来の構造のものとは異なり、乳幼児がぐずるなどの激しい動作を行ったとしてもシート部分から滑り落ちてしまうような虞れを防止し得る、安全性に優れたものであるが、使用者の使い勝手と乳幼児保持の安全性に改良の余地を残していた。
すなわち、特許文献１に開示されたものは、肩ベルト部分が一枚の布材からなるのでその長さを調節することが出来ず、使用者の体型に合わせてシート部分を適宜高さに位置させることが出来ないので、使用者によってはシート部分が高すぎたり低すぎたりする場合がある。
一方、特許文献２に開示されたものは、長さ調節具により長さ調節自在とした肩ベルト部分を備えており、使用者の体型に合わせて肩ベルト部分の長さを任意に調節可能になっているが、万一、その長さ調節具が使用中に破損するなどした場合、肩ベルト部分が分断される虞れが無いとは言えなかった。
【０００５】
本考案はこのような従来事情に鑑みてなされたもので、その目的とする処は、使用者の体型などに合わせて肩ベルトの長さを任意に調節することが出来ると共に、使用中に肩ベルトが分断されるような虞れの無い、使い勝手と安全性の双方を向上し得る新規な対面保持型ベビーキャリーを提供することにある。
【課題を解決するための手段】
【０００６】
上記した目的を達成するために、本考案に係るベビーキャリーは、少なくとも乳幼児の臀部を支承可能なシート状保持部と、両端を前記シート状保持部の上端側左右に固定して使用者の一方の肩にたすき状に掛ける肩ベルトと、前記シート状保持部の下端側に取り付けて使用者の腰周りに掛け渡される腰ベルトと、を備えた対面保持型のベビーキャリーであって、
前記肩ベルトを、非伸縮性で且つ柔軟性を備えた定尺の主ベルトと、該主ベルトに添設した長さ調節自在な補助ベルトで構成し、
前記補助ベルトは長さ方向両端部が前記主ベルトに固定され、該補助ベルトの長さ調節に伴い前記主ベルトの長さが調節されることを特徴とする。
【０００７】
このように構成した場合、補助ベルトを短くするとその分だけ主ベルトも縮まるので、主ベルトを定尺なシートや布地製としながらその長さを調節自在として、シート状保持部を、使用者の体型や使い勝手などに合わせて適宜高さに位置させることができる。
【０００８】
補助ベルトは、この種分野において周知な長さ調節具を備えたものであるが、該長さ調節具が、前記主ベルトにおける使用者に当たる面（主ベルトの裏面側）に配置されていると、該長さ調節具が使用者に当たるので使い勝手が劣る虞れがある。
よって、前記補助ベルトの長さ調節を自在とする長さ調節具が、前記主ベルトにおける使用者に当たる面と反対側の面（主ベルトの表面側）に配置されていることが好ましい。
【０００９】
前記主ベルトの長さ方向両端部位に前記補助ベルトをそれぞれ添設すると良い。
この場合、主ベルトにおける一方の端部（例えば、使用者の腹側に位置する端部と、他方の端部（例えば、使用者の背側に位置する端部）において、それぞれ補助ベルトの長さを個別に調節することができるので、使用者の体型や使い勝手などに合わせて、主ベルトの長さ方向中央部分（主ベルトの肩当部）の位置を適宜に調節することが可能になる。
【００１０】
前記主ベルトの長さ方向中央部位に、使用者の肩を覆う幅に拡張自在な肩当部を形成すると共に、該肩当部が、使用者の肩先に当たる中央の緩衝パッドと、該中央の緩衝パッドの左右両側に配置した左右の緩衝パッドを備え、これら左右の緩衝パッドが使用者の肩先の左右両側に当たるよう形成することが好ましい。
この場合、肩当部における中央と左右の各緩衝パッドにより、使用者の肩にかかる荷重負担が軽減される。また、幅方向に拡張した肩当部で使用者の肩を覆うと共に、左右の緩衝パッドで使用者の肩先を挟むようになるので、使用中の肩ベルトやシート状保持部のずれなどを防止することができる。
【００１１】
前記シート状保持部が、乳幼児の臀部、腰部及び背部を支承可能な逆台形状に形成されており、該シート状保持部の上端側左右に前記肩ベルトを、下端側左右に前記腰ベルトを、中間部分左右に安全ベルトを、それぞれ取り付けてあり、前記安全ベルトで前記シート状保持部に乳幼児をくくり付けるよう形成することが好ましい。
この場合、安全ベルトによって、乳幼児をシート状保持部にしっかりとくくりつけることができる。
【考案の効果】
【００１２】
本考案に係るベビーキャリーは以上説明したように構成したので、使用者の体型や好みなどに合わせて肩ベルトの長さ、シート状保持部の高さを適宜に調節することが出来る。しかも、定尺な主ベルトの長さを補助ベルトの長さ調節により調節するので、使用中に肩ベルトが分断されるような虞れも無い。よって、使い勝手と安全性の双方を向上し得る新規な対面保持型のベビーキャリーとして提供することが出来た。
【考案を実施するための最良の形態】
【００１３】
以下、本考案に係るベビーキャリーの実施形態の一例について、図面を参照しながら説明する。
本例のベビーキャリーＡは、乳幼児ａの臀部、腰部及び背部を支承可能なシート状保持部１と、使用者ｂの一方の肩にたすき状に掛ける肩ベルト２と、使用者ｂの腰周りに掛け渡される腰ベルト３と、乳幼児ａをシート状保持部１にくくりつける安全ベルト４を備えてなる対面保持型のベビーキャリーであり、肩ベルト２を、定尺な主ベルト５と、長さ調節自在な補助ベルト６，６で構成し、補助ベルト６，６の長さ調節に伴い主ベルト５の長さが調節されるようになっている。
【００１４】
シート状保持部１は、非伸縮性と柔軟性を備えた合成樹脂シート材又は綿などの繊維からなる布材などにより、乳幼児ａの臀部、腰部及び背部を支承可能な逆台形状に形成されており、その上端縁と下端縁に緩衝パッド７，８を内在させて、乳幼児ａに対する当たりを和らげるようになっている。
シート状保持部１の上端側左右には肩ベルト２の左右端部が、下端側左右には腰ベルト３の左右端部が、中間部左右には安全ベルト４の左右端部が、それぞれ縫着されている。
【００１５】
肩ベルト２を構成する主ベルト５は、非伸縮性と柔軟性を備えた合成樹脂シート又は布などにより、シート状保持部１が使用者ｂの腰部のあたりに配置される程度の長さをもって帯状に形成したもので、その長さ方向中央部位が使用者の肩先ｃに当たる肩当部５ａとなる。また、主ベルト５の長さ方向両端部位５ｂ，５ｂには、それぞれに補助ベルト６が添設されている。
【００１６】
肩当部５ａは、幅広なシート材を幅方向に折り畳んで、使用者の肩を覆う幅に拡張自在となっている。また、肩当部５ａには、使用者の肩先ｃに当たるよう幅方向中央に配置された緩衝パッド９と、その左右両側に配置された左右の緩衝パッド１０，１０が内在されており、これら各緩衝パッド９，１０，１０により使用者ｂの肩にかかる加重負担を軽減すると共に、左右の緩衝パッド１０，１０で使用者の肩先ｃを挟んで、使用中の肩ベルト２、シート状保持部１のずれを防止し得るようになっている。
【００１７】
補助ベルト６は、非伸縮性と柔軟性を備えた合成樹脂又は布材などで形成されると共に、中途部に長さ調節具１１を備えた周知な構成の長さ調節自在なベルトで、長さ調節具１１が主ベルト５における使用者ｂに当たる面（裏面側）と反対側の面（表面側）に配置されるよう、その両端を、主ベルトの両端部５ｂ，５ｂに縫着してある。そして、補助ベルト６，６を短くすることで主ベルトの両端部５ｂ，５ｂがおのおの折り畳まれるように縮んで、肩ベルト２の長さが適宜に調節されるようになっている。
【００１８】
腰ベルト３は、シート状保持部１の下端側を使用者ｂの腰周りにくくりつけるためのベルトで、シート状保持部１の下端側左右に基端部を縫着した左右のベルト部３ａ，３ｂの先端に、係脱自在な雄雌の連結具３ｃ，３ｄが固定され、且つ各連結具３ｃ，３ｄが長さ調節具を兼用した周知の構成になっている。
【００１９】
安全ベルト４は、シート状保持部１に乳幼児ａをくくりつけるためのベルトで、シート状保持部１の中間部位の左右に基端部を縫着した左右のベルト部４ａ，４ｂの先端に、係脱自在な雄雌の連結具４ｃ，４ｄが固定され、且つ各連結具４ｃ，４ｄが長さ調節具を兼用した周知の構成になっている。
【００２０】
以上の構成になる本例のベビーキャリーａを使用する際は、図４（ロ）に示すように、補助ベルト６，６のいずれか一方又は双方の長さを調節して肩ベルト２を適宜長さとし、シート状保持部１が最も使い易く且つ安全に乳幼児ａを保持し得る高さ、例えば使用者ｂの腰の高さに位置するよう調節する。さらに、図６に示すように、主ベルト５の肩当部５ａを拡張して該肩当部５ａで使用者の肩を覆うと共に、中央の緩衝パッド９を肩先ｃに当て、且つ左右の緩衝パッド１０，１０でその肩先ｃを挟んで、使用中の肩ベルト２、シート状保持部１のずれを防止し得るようにする。
そして、乳幼児ａをシート状保持部１と使用者ｂの間に入れ、安全ベルト４で乳幼児ａをシート状保持部１にくくりつけると共に、腰ベルト３を使用者の腰に掛け渡せば、乳幼児ａを対面状に抱きかかえた状態をしっかりと維持することが出来る（図７参照）。
【００２１】
以上、本考案の実施形態の一例を図面に基づき説明したが、本考案に係るベビーキャリーは図示例に限定されるものではなく、実用新案登録請求範囲の各請求項に記載された技術的思想の範疇において種々の変更が可能であることは言うまでもない。
【図面の簡単な説明】
【００２２】
【図１】本考案に係る対面保持型ベビーキャリーの実施形態例を示す斜視図。
【図２】肩ベルトの拡大平面図。
【図３】図２の（Ｘ）−（Ｘ）線に沿う拡大断面図。
【図４】（イ）は図３の中央縦断側面図、（ロ）は補助ベルトと共に主ベルトを縮めた状態の断面図。
【図５】図２の（Ｙ）−（Ｙ）線に沿う拡大断面図。
【図６】肩当部を拡張した状態の断面図。
【図７】使用状態を示す斜視図で、（イ）は使用者の後ろから、（ロ）は前から見た状態を表す。
【符号の説明】
【００２３】
ａ：乳幼児
ｂ：使用者
ｃ：使用者の肩先
Ａ：ベビーキャリー
１：シート状保持部
２：肩ベルト
３：腰ベルト
４：安全ベルト
５：主ベルト
５ａ：肩当部
５ｂ：主ベルトの端部
６：補助ベルト
７，８，９，１０：緩衝パッド
１１：長さ調節具
【図１】
0003121415.tif 000003
【図２】
0003121415.tif 000004
【図３】
0003121415.tif 000005
【図４】
0003121415.tif 000006
【図５】
0003121415.tif 000007
【図６】
0003121415.tif 000008
【図７】
0003121415.tif 000009